(57)【要約】【課題】側溝に貯水機能を容易に適用可能なコンクリート製ボックスカルバートを提供する。【解決手段】水路部１０を降雨量が少ない場合は汎用の側溝として機能させ、降雨量が多い場合は貯水部３０に貯水することで貯水機能を発揮させ、水路部１０の水位が低下した場合は逆流防止弁４０により貯水部３０に貯水された雨水を水路部１０に流入させる機能を発揮させることができる。これにより、簡単な構造で降雨量に応じた機能を自動的に切換えることができる。【選択図】図１
0003179622.tif 000002
【実用新案登録請求の範囲】
【請求項１】
地中に埋設される蓋式Ｕ形側溝からなる水路部と、
前記水路部の側壁に沿って地中に埋設され、上面が閉鎖された暗渠からなる貯水部と、
前記水路部と前記貯水部の側壁に設けられ、互いの上部側を連結する越流用開口と、
前記水路部と前記貯水部の側壁に設けられ、互いの下部側を連結する排出口と、
前記排出口に設けられ、前記水路部から前記貯水部への流入を禁止すると共に前記貯水部から前記水路部への流入を許可する逆流防止弁と、
を備えたことを特徴とするコンクリート製ボックスカルバート。
【請求項２】
前記水路部と前記貯留部とは別体であり、前記水路部の前記越流用開口及び前記排出口は現場で削孔されることを特徴とする請求項１記載のコンクリート製ボックスカルバート。
【請求項３】
前記水路部と前記貯留部とは別体であり、前記水路部の前記越流用開口及び前記排出口は当該水路部の成型時に形成されることを特徴とする請求項１記載のコンクリート製ボックスカルバート。
【請求項４】
前記水路部と前記貯水部とは一体であり、前記越流用開口及び前記排出口は成型時に形成されることを特徴とする請求項１記載のコンクリート製ボックスカルバート。
【請求項５】
前記貯水部は、上面が蓋により閉鎖されていることを特徴とする請求項１ないし４のいずれかに記載のコンクリート製ボックスカルバート。
【請求項６】
前記貯水部の底版は、前記水路部に向かって傾斜していることを特徴とする請求項１ないし５のいずれかに記載のコンクリート製ボックスカルバート。
【考案の詳細な説明】
【技術分野】
【０００１】
本考案は、側溝を流れる雨水を一時的に貯水する機能を備えたコンクリート製ボックスカルバートに関する。
【背景技術】
【０００２】
道路の舗装化が進むにつれて、地面が不浸透な状態となり、大雨が降ったときなどは道路に水が溢れ出たり、河川が急激に増水したりするようになった。このような大雨による道路の冠水や河川の急な増水の対策として側溝を流れる雨水を一時的に貯水し、徐々に排水することが考えられている。
特許文献１のものは、排水路に間欠的に貯水用のマンホールを設置することで雨水を一時的に貯水することを提案している。
【先行技術文献】
【特許文献】
【０００３】
【特許文献１】特開２００９−２１６０号公報
【考案の概要】
【考案が解決しようとする課題】
【０００４】
しかしながら、特許文献１の構造では、排水路を流れる雨水の量が少ない状態でも貯水されてしまうことから、雨の降り始めであっても、排水機能よりも貯水機能の方が機能してしまい、通常の排水機能を十分に発揮することができない。また、構造が複雑であり、側溝に適用することは困難である。このため、側溝に貯水機能を容易に適用可能な構造が望まれている。
本考案は上記事情に鑑みてなされたもので、その目的は、側溝に貯水機能を容易に適用可能なコンクリート製ボックスカルバートを提供することにある。
【課題を解決するための手段】
【０００５】
上記に目的を達成するために、本考案のコンクリート製ボックスカルバートは、地中に埋設される蓋式Ｕ形側溝からなる水路部と、前記水路部の側壁に沿って地中に埋設され、上面が閉鎖された暗渠からなる貯水部と、前記水路部と前記貯水部の側壁に設けられ、互いの上部側を連結する越流用開口と、前記水路部と前記貯水部の側壁に設けられ、互いの下部側を連結する排出口と、前記排出口に設けられ、前記水路部から前記貯水部への流入を禁止すると共に前記貯水部から前記水路部への流入を許可する逆流防止弁と、を備えたものである。
【考案の効果】
【０００６】
本考案のコンクリート製ボックスカルバートによれば、雨水は水路部により排水される。水路部の水位が低い通常降雨時の場合は、逆流防止弁により水路部から貯水部に雨水が流入することが防止されているので、水路部は通常の側溝として機能する。水路部の水位が高い異常降雨時は、水路部の雨水が水路部の上部に設けられた越流用開口から貯水部に流入するので、貯水部に雨水が貯水されるようになる。つまり、貯水部は貯水機能を発揮することになる。水路部を流れる雨水の水位が排水口まで低下すると、逆流防止弁を通じて貯水部から水路部へ雨水が流入するようになるので、貯水部に貯水された雨水は水路部により排水されるようになる。これにより、降雨量が少ない場合は通常の側溝として機能し、降雨量が多い場合には貯水機能を発揮させることができるので、簡単な構造で降雨量に応じた機能を自動的に切換えることができる。
【図面の簡単な説明】
【０００７】
【図１】第１実施形態における水路部と貯水部の断面図
【図２】水路部と貯水部の平面図
【図３】異なる断面で示す図１相当図（その１）
【図４】舗装留パッキンの貼付状態を示す貯水部の側面図
【図５】異なる断面で示す図１相当図（その２）
【図６】越流用開口を示す貯水部の側面図
【図７】異なる断面で示す図１相当図（その３）
【図８】逆流防止弁の前方斜視図
【図９】逆流防止弁の後方斜視図
【図１０】異なる断面で示す図１相当図（その４）
【図１１】止水パッキンを示す貯水部の側面図
【図１２】異なる断面で示す図１相当図（その５）
【図１３】異なる断面で示す図１相当図（その６）
【図１４】通常降雨時の状態を示す図１相当図
【図１５】異常降雨時の状態を示す図１相当図
【図１６】最大貯水時の状態を示す図１相当図
【図１７】排水時の状態を示す図１相当図
【図１８】清掃時の状態を示す図１相当図
【図１９】第２実施形態を示す図１相当図
【図２０】第３実施形態を示す図１相当図
【図２１】その他の変形形態を示す図３相当図
【考案を実施するための形態】
【０００８】
（第１実施形態）
以下、本考案を貯水機能付き暗渠に適用した第１実施形態について図１ないし図１８を参照して説明する。
図１に示す水路部１０は、ＪＩＳ  Ａ５３７２で規定される汎用のコンクリート製の落ちふた式Ｕ形側溝である。Ｕ形の水路部本体１１の上面開口は蓋１２で覆われており、連続した水路部１０の蓋１２との間に形成された隙間から雨水が水路部本体１１内に落下可能となっている。水路部１０は、基礎２０上に図示しない敷モルタルを施し、その基礎上に敷設されている。基礎２０は、砕石、均しコンクリート、基礎コンクリートなどである。水路部１０は、既に埋設された既設のものである。
【０００９】
水路部１０に沿った所定範囲にコンクリート製ボックスカルバートからなる貯水部３０が敷設されている。この貯水部３０は、既設の水路部１０に隣接する所定範囲に沿って舗装路を掘り起し、新規の基礎２１を水路部１０の基礎２０に隣接するように敷設した上で当該基礎２１上に敷設されている。貯水部３０は上面が閉鎖された暗渠で、その一方の側壁３１は水路部１０の一方の側壁１３に密着するような形状に形成されている。
【００１０】
図４に示すように貯水部３０の側壁３１の上端には舗装留パッキン３２が貼付されている。この舗装留パッキン３２は弾性を有しており、貯水部３０の側壁３１と水路部１０の側壁１３とにより押圧されて圧縮状態となっている。このように舗装留パッキン３２が圧縮された状態となることにより、貯水部３０の上面に敷設されたばかりの軟弱な舗装が水路部１０の側壁１３と貯水部３０の側壁３１との間の隙間に落下してしまうことが防止される。
【００１１】
貯水部３０の側壁３１の端面上部には図６に示すように切欠部３３が形成されており、隣接する貯水部３０と互いに連結された形態で両方の切欠部３３により図５及び図６に示すように越流用開口３４が形成されている。この越流用開口３４は貯水部３０の上部を臨んでおり、水路部１０の側壁１３に形成された越流用開口１４と連通することで、水路部１０から溢れた雨水を貯水部３０に流入させる機能を発揮するようになっている。水路部１０に越流用開口１４を形成するには、水路部１０の側壁１３において越流用開口３４と対向する部位を現場で削孔する。この場合、貯水部３０の側壁３１に形成された越流用開口３４と対向する部位の全てを削孔する必要はなく、仕様に応じて削孔すればよい。水路部１０を削孔しない場合は、図７に示すように貯水部３０側の越流用開口３４が水路部１０により閉鎖された形態となり、貯水部３０側の越流用開口３４が機能することはない。
【００１２】
貯水部３０は、図２に示すように標準ブロック３０Ａと排出ブロック３０Ｂと点検用ブロック３０Ｃの３種類設定されており、上述した越流用開口３４を形成するための側壁３１の切欠部３３は何れのブロック３０Ａ〜３０Ｃにも共通に形成されている。従って、連結された各ブロック３０Ａ〜３０Ｃの全てには、切欠部３３により越流用開口３４が形成されている。
【００１３】
標準ブロック３０Ａを連結させてなる暗渠の例えば２０ｍ長毎に排出ブロック３０Ｂ（図２参照）が連結されている。
図１０に示すように排出ブロック３０Ｂには、側壁３１の下部側に排出口３５が設けられている。この排出口３５は、貯水部３０を型にコンクリートを流し込んで成型する際に排出口３５の形成位置に硬質塩化ビニル管３７（図１参照）を位置決めした状態で成型している。そして、この排出口３５に逆流防止弁４０が挿入されている。
【００１４】
図８及び図９は逆流防止弁４０を示している。合成樹脂製の筒状部４１の図示左端面には図示下方に向かって例えば７０°傾斜した傾斜開口部４２が形成されており、その傾斜開口部４２の上部に樹脂製のベース４３が固着されていると共に、そのベース４３の下端部に蓋部４４が蝶番４５で連結されている。通常時においては、蓋部４４の自重により傾斜開口部４２全体が閉鎖されている。筒状部４１及びベース４３の図示上部にはこれらの軸方向に沿って溝部４６が形成されており、その溝部４６に金属棒からなるズレ止め金具４７が装着されている。このズレ止め金具４７の一端４７ａは折返し形成されており、筒状部４１の端部に係止されている。ズレ止め金具４７の他端４７ｂは図示上方に折曲されており、貯水部３０の排出口３５の周縁部に係止されている（図１参照）。つまり、逆流防止弁４０の外径寸法は貯水部３０の側壁３１に設けられた硬質塩化ビニル管３７の内径寸法よりも僅かに小さく形成されており、逆流防止弁４０が硬質塩化ビニル管３７に挿入された状態では、水路部１０を流れる水流の圧力により逆流防止弁４０が貯水部３０側に移動してしまうことから、ズレ止め金具４７によりその移動を防止しているのである。
【００１５】
排出口３５は、後述するように水路部１０に形成された排出口１５と連通することで、貯水部３０に貯水された雨水を水路部１０に流入させる機能を発揮するようになっている。水路部１０に排出口１５を形成するには、水路部１０の側壁１３において排出口３５と対向する部位を削孔する。
尚、貯水部３０の側壁３１において排出口３５を囲繞する部位には図１０及び図１１に示すように止水パッキン３６が貼付されており、貯水部３０の側壁３１と水路部１０の側壁１３とにより押圧されて圧縮状態となっている。この止水パッキン３６は、排出口３５を通過する雨水が水路部１０の側壁１３と貯水部３０の側壁３１との間の隙間から地中に漏水することを防止するために設けられている。
【００１６】
標準ブロック３０Ａと排出ブロック３０Ｂとを連結させてなる暗渠の例えば５０ｍ長毎に点検用ブロック３０Ｃ（図２参照）が連結されている。
図１２に示すように点検用ブロック３０Ｃの上面にはマンホール５０が取付けられている。このマンホール５０は、マンホール受枠５１の点検孔５２をマンホール蓋５３で閉鎖してなり、マンホール蓋５３を取り外すことにより点検孔５２を通じて貯水部３０の内部を視認可能となっている。マンホール受枠５１は舗装によりその外周が埋設されてマンホール蓋５３のみが外方を臨んでいる。点検用ブロック３０Ｃは、連結された貯水部３０群の端部に設置されるもので、その端部は図１３に示すように閉鎖部３８により閉鎖されている。
【００１７】
次に上記構成の作用について説明する。
雨が降ると、雨水が水路部１０に流入し、水路部１０に沿って下流方向に流れ、雨水ます、雨水管を通じて河川などに排水される。
（通常降雨時）
降雨量が比較的少ない場合は、排出口３５に設けられている逆流防止弁４０は雨水の水圧により閉鎖されている。これにより、水路部１０は通常の水路部１０として機能するので、雨水を円滑に排水することができる。
【００１８】
（異常降雨時）
降雨量が多くなると、水路部１０の流れる雨水の水位が上昇し、図１５に示すように越流用開口３４を上回ると、雨水が越流用開口３４を通じて貯水部３０に流入するようになる。貯水部３０に流入した雨水は下流方向に流れ、端部に位置する点検用ブロック３０Ｃの端部でせき止められるようになる。これにより、貯水部３０内の水位は徐々に高くなる。
【００１９】
（最大貯水時）
貯水部３０が雨水で満杯状態の最大貯水状態となったときは、図１６に示すように水路部１０と貯水部３０の水位がほぼ同じになるので、それ以上の貯水部３０への雨水の流入が停止する。この場合、貯水部３０の雨水が逆流防止弁４０を通じて水路部１０に流入してしまうことはない。
【００２０】
（排水時）
水路部１０を流れる雨水の水位が低下し、図１７に示すように貯水部３０の雨水の水位よりも低下するようになると、貯水部３０から逆流防止弁４０を通じて水路部１０に雨水が流入するようになる。つまり、貯水部３０に貯水されている雨水が排水されるようになる。水路部１０に流れる雨水の水位が底版３９近くなると、貯水部３０の雨水の水位も底版近くなる。
【００２１】
（清掃時）
雨水には土が含まれているので、貯水部３０に雨水が貯水されると、貯水部３０に滞留土が溜まるようになる。このような滞留土を除去するには、図１８に示すようにマンホール蓋５３を取外し、高圧のジェット洗浄により滞留土を下流側に押し流す。そして、下流方向の末端に設けられた点検用ブロック３０Ｃのマンホール蓋５３を取外し、点検孔５２からジェット洗浄により貯水部３０の滞留土を逆流防止弁４０を通じて水路部１０に排出する。
【００２２】
このような実施形態によれば、水路部１０を降雨量が少ない場合は汎用の側溝として機能させ、降雨量が多い場合には貯水部３０に貯水することで貯水機能を発揮させ、水路部１０の水位が低下した場合は逆流防止弁４０により貯水部３０に貯水された雨水を水路部１０に流入させる機能を発揮させることができるので、簡単な構造で降雨量に応じた機能を自動的に切換えることができる。この場合、水路部１０はＪＩＳ規格の汎用品であることから、このような汎用の既設の側溝に有効に適用することができる。
【００２３】
尚、本実施形態では、既設の水路部１０に新規の貯水部３０を敷設する場合を示したが、新規の水路部１０及び貯水部３０を敷設した状態で貯水部３０の越流用開口３４及び排出口３５に対応した部位を必要に応じて削孔するようにしてもよい。
また、既設の水路部１０としてＪＩＳ規格のものを対象としたが、水路部を例えば現場で成型する場合やＪＩＳ規格以外の側溝を使用することも多々あり、側壁が起立したＵ字形状の水路部が既設されている場合には、貯水部３０の側壁３１と反対側の起立した側壁を水路部の起立した側壁に密着するように敷設すればよい。この場合、越流用開口３４及び排出口３５は側壁３１と反対側の起立した側壁に設けることは勿論である。
【００２４】
（第２実施形態）
図１９は本考案の第２実施形態を示しており、第１実施形態と同一部位には同一符号を付して説明を省略する。この第２実施形態は、水路部１０と貯水部３０を同時に敷設する場合に好適である。
本実施形態の水路部１０は、貯水部３０の越流用開口３４及び排出口３５に対応した部位が開口されたブロックと、開口されていないブロックを成型し、第１実施形態の水路部１０と組み合わせることで任意の位置に越流用開口と排出口を設けることを可能としたものである。つまり、図１９に示すように水路部１０に越流用開口１４が形成されているブロックの場合には貯水部３０の越流用開口３４が機能し、水路部１０に越流用開口１４が形成されていないブロックの場合には貯水部３０の越流用開口３４が機能することはない。
このような実施形態によれば、現場での水路部１０を削孔することが不必要となることから、作業性を高めることができると共に、削孔による整形不良といったトラブルが発生することを確実に防止することができる。
【００２５】
（第３実施形態）
図２０は本考案の第３実施形態を示している。この第３実施形態は、水路部１０と貯水部３０とを一体化したことを特徴とする。
一体化ブロック６０は、水路部１０と貯水部３０とが成型時に一体化されたもので、越流用開口３４及び排出口３５の何れも形成されていないブロック、越流用開口３４のみが形成されているブロック、排出口３５のみが形成されているブロック、貯水部３０にマンホール５０が設けられたブロック、貯水部３０にマンホール５０が設けられ、さらに端部が閉鎖部３８により閉鎖されたブロックが設けられる。これらの５種類のブロックを適宜組み合わせることにより第１実施形態と同様の効果を奏する暗渠付側溝を容易に敷設することができる。
尚、本実施形態では、水路部１０と貯水部３０の基礎として共通の基礎２２を敷設するのが望ましい。
【００２６】
（その他の実施形態）
本考案は、上記実施形態に限定されることなく、次のように変形または拡張できる。
図２１に示すように貯水部３０の天井を蓋３０１とし、取り外し可能な構成としてもよい。この場合、マンホールは不要となる。
逆流防止弁４０自体を貯留部３０に位置させた状態で成型するようにしてもよい。
逆流防止弁４０は上記実施形態に限定されることなく例えばゴムからなる弾性部材により開閉する構成を採用してもよい。
貯水部３０の底版３９を水路部１０に向かって傾斜させるようにしてもよい。このような構成を採用することにより、貯水部３０の雨水を排出口３５を通じて水路部１０に流れ込みやすくすることができる。
【符号の説明】
【００２７】
図面中、１０は水路部、３０は貯水部、１４，３４は越流用開口、１５，３５は排出口、３０１は蓋、４０は逆流防止弁である。
【図１】
0003179622.tif 000003
【図２】
0003179622.tif 000004
【図３】
0003179622.tif 000005
【図４】
0003179622.tif 000006
【図５】
0003179622.tif 000007
【図６】
0003179622.tif 000008
【図７】
0003179622.tif 000009
【図８】
0003179622.tif 000010
【図９】
0003179622.tif 000011
【図１０】
0003179622.tif 000012
【図１１】
0003179622.tif 000013
【図１２】
0003179622.tif 000014
【図１３】
0003179622.tif 000015
【図１４】
0003179622.tif 000016
【図１５】
0003179622.tif 000017
【図１６】
0003179622.tif 000018
【図１７】
0003179622.tif 000019
【図１８】
0003179622.tif 000020
【図１９】
0003179622.tif 000021
【図２０】
0003179622.tif 000022
【図２１】
0003179622.tif 000023